(57)【要約】【課題】コネクタの組立および検査にかかる手間を省くことが可能なコネクタの組立治具およびコネクタの組立治具付き組立図板を提供する。【解決手段】端子金具２０を係止するランス１２をコネクタハウジング１１の外壁１１Ａと一体に備え、前記端子金具２０が半挿入のときには前記ランス１２が前記外壁１１Ａから突出する方向に変位し、前記端子金具２０が正規の位置に至ったときには逆方向に戻るコネクタ１０の組立治具Ｊであって、前記コネクタハウジング１１を収容するハウジング収容室３１を有する治具本体３０と、前記治具本体３０のうち前記ハウジング収容室３１の内壁面に位置して設けられ、前記ランス１２が前記外壁１１Ａから突出したことを検出する半挿入検知部材と、を備える。【選択図】図１１
2010056019.tif 000002
【特許請求の範囲】
【請求項１】
端子金具を係止するランスをコネクタハウジングの外壁と一体に備え、前記端子金具が半挿入のときには前記ランスが前記外壁から突出する方向に変位し、前記端子金具が正規の位置に至ったときには逆方向に戻るコネクタの組立治具であって、
前記コネクタハウジングを収容するハウジング収容室を有する治具本体と、
前記治具本体のうち前記ハウジング収容室の内壁面に位置して設けられ、前記ランスが前記外壁から突出したことを検出する半挿入検知部材と、を備えることを特徴とするコネクタの組立治具。
【請求項２】
前記半挿入検知部材は、支点を中心に傾動可能とされ、その一端側が前記外壁から突出する方向に変位した前記ランスにより押圧されると、他端側が前記ハウジング収容室側へ変位して前記ハウジング収容室からの前記コネクタハウジングの離脱を規制する規制姿勢になり、前記一端側が前記ランスに押圧されていないときには、前記他端側が前記ハウジング収容室から退避した位置に配されて前記コネクタハウジングの離脱を許容する許容姿勢になることを特徴とする請求項１に記載のコネクタの組立治具。
【請求項３】
前記半挿入検知部材が前記規制姿勢に傾動するのに伴って弾性変形し、前記半挿入検知部材を前記許容姿勢に傾動させる向きの弾性復元力を生じる弾性部材を有することを特徴とする請求項２に記載のコネクタの組立治具。
【請求項４】
前記半挿入検知部材の前記ハウジング収容室とは反対側を覆うカバー体を有することを特徴とする請求項２または請求項３に記載のコネクタの組立治具。
【請求項５】
端子金具を係止するランスをコネクタハウジングの外壁と一体に備え、前記端子金具が半挿入のときには前記ランスが前記外壁から突出する方向に変位し、前記端子金具が正規の位置に至ったときには逆方向に戻るコネクタの組立治具と、ワイヤーハーネスを構成する電線が布線される組立図板と、を有するコネクタの組立治具付き組立図板であって、
前記組立治具は、
前記コネクタハウジングを収容するハウジング収容室を有する治具本体と、
前記治具本体のうち前記ハウジング収容室の内壁面に位置して設けられ、前記ランスが前記外壁から突出したことを検出する半挿入検知部材と、を備えることを特徴とするコネクタの組立治具付き組立図板。
【発明の詳細な説明】
【技術分野】
【０００１】
本発明は、コネクタを電線に接続する際に用いられるコネクタの組立治具およびコネクタの組立治具付き組立図板に関する。
【背景技術】
【０００２】
従来より、ワイヤハーネスの製造においては、予め配索経路が設定された組立図板上に複数の電線を配索するとともに、各電線に接続された端子金具をそれぞれ所定のコネクタハウジングに挿入して、コネクタを電線に接続させる作業を行う（コネクタの組立工程）。
【０００３】
そして、コネクタの組立工程を終えたら、端子金具が半挿入状態で留め置かれていないかを検査する（コネクタの検査工程）。この検査は、例えば特許文献１に記載の導通検査装置に、コネクタをセットすることにより行われる。このコネクタは、端子金具に係止して端子金具を抜け止めするランスを有するものであり、ランスは、端子金具の挿入途中においては端子金具に押されて弾性撓みし、端子金具が正規の位置に至ると弾性復帰して端子金具に係止するものである。
【０００４】
導通検査装置は、コネクタが嵌合可能なコネクタ嵌合室と、コネクタ嵌合室内に突出した挿入検査ピンとを有している。そして、端子金具が半挿入状態のコネクタがコネクタ嵌合室に嵌合された場合には、弾性撓みしたままのランスが挿入検査ピンの先端に当接し、コネクタの嵌合が進行するのに伴ってランスが挿入検査ピンを後方に押すようになっている。挿入検査ピンが後方に押されることで回路が遮断され、端子金具の半挿入が検知される仕組みになっている。
【特許文献１】特開２００１−１５９６５４公報
【発明の開示】
【発明が解決しようとする課題】
【０００５】
ところで、上記のように、コネクタの組立工程とコネクタの検査工程とを別々に行わなければならないと作業に手間がかかるため対策が望まれていた。
本発明は上記のような事情に基づいて完成されたものであって、コネクタの組立および検査にかかる手間を省くことが可能なコネクタの組立治具およびコネクタの組立治具付き組立図板を提供することを目的とする。
【課題を解決するための手段】
【０００６】
本発明のコネクタの組立治具は、端子金具を係止するランスをコネクタハウジングの外壁と一体に備え、前記端子金具が半挿入のときには前記ランスが前記外壁から突出する方向に変位し、前記端子金具が正規の位置に至ったときには逆方向に戻るコネクタの組立治具であって、前記コネクタハウジングを収容するハウジング収容室を有する治具本体と、前記治具本体のうち前記ハウジング収容室の内壁面に位置して設けられ、前記ランスが前記外壁から突出したことを検出する半挿入検知部材と、を備えることに特徴を有する。
【０００７】
このような構成によれば、コネクタハウジングを治具本体のハウジング収容室に収容し、そのコネクタハウジングに、電線に接続された端子金具を挿入することにより、電線とコネクタとの接続が完了し、また端子金具が半挿入の場合には、半挿入検知部材によりそれが検出される。すなわち、コネクタを電線に接続するコネクタの組立工程と、端子金具の半挿入を検知するコネクタの検査工程とが同時になされるから、これらの工程を別々に行う場合に比べて、コネクタの組立および検査にかかる手間を省くことができる。
【０００８】
前記半挿入検知部材は、支点を中心に傾動可能とされ、その一端側が前記外壁から突出する方向に変位した前記ランスにより押圧されると、他端側が前記ハウジング収容室側へ変位して前記ハウジング収容室からの前記コネクタハウジングの離脱を規制する規制姿勢になり、前記一端側が前記ランスに押圧されていないときには、前記他端側が前記ハウジング収容室から退避した位置に配されて前記コネクタハウジングの離脱を許容する許容姿勢になるものとしてもよい。
【０００９】
このような構成によれば、端子金具が半挿入のときには、半挿入検知部材が規制姿勢になってコネクタハウジングの離脱を規制し、端子金具が正規の位置に至ったときには、半挿入検知部材が許容姿勢になってコネクタハウジングの離脱を許容する。すなわちハウジング収容室からのコネクタハウジングの離脱が規制されるか許容されるかによって、端子金具が半挿入であるか否かを検知することができる。このように、機械的な仕組みで端子金具の半挿入を検知することができるから、電気的な仕組みで検知する場合に比べて電源等が不要になり組立治具の小型化を図ることができる。
【００１０】
前記半挿入検知部材が前記規制姿勢に傾動するのに伴って弾性変形し、前記半挿入検知部材を前記許容姿勢に傾動させる向きの弾性復元力を生じる弾性部材を有するものとしてもよい。これにより、ランスに押圧されて規制姿勢になった半挿入検知部材は、ランスからの押圧が解除されると、弾性部材の弾性復元力により許容姿勢になる。
【００１１】
前記半挿入検知部材の前記ハウジング収容室とは反対側を覆うカバー体を有するものとしてもよい。これにより、半挿入検知部材がランス以外のものに押されて傾動することを防ぐことができる。
【００１２】
本発明のコネクタの組立治具付き組立図板は、端子金具を係止するランスをコネクタハウジングの外壁と一体に備え、前記端子金具が半挿入のときには前記ランスが前記外壁から突出する方向に変位し、前記端子金具が正規の位置に至ったときには逆方向に戻るコネクタの組立治具と、ワイヤーハーネスを構成する電線が布線される組立図板と、を有するコネクタの組立治具付き組立図板であって、前記組立治具は、前記コネクタハウジングを収容するハウジング収容室を有する治具本体と、前記治具本体のうち前記ハウジング収容室の内壁面に位置して設けられ、前記ランスが前記外壁から突出したことを検出する半挿入検知部材と、を備えることに特徴を有する。このような構成によれば、組立図板を用いてワイヤハーネスを製造する際に、コネクタの組立治具を使用して、コネクタの組立工程と、検査工程とを同時に行うことができる。
【発明の効果】
【００１３】
本発明によれば、コネクタの組立および検査にかかる手間を省くことが可能なコネクタの組立治具およびコネクタの組立治具付き組立図板を提供することができる。
【発明を実施するための最良の形態】
【００１４】
以下、本発明の実施形態を図１〜図１３によって説明する。
本実施形態における組立治具Ｊは、端子金具２０を係止するランス１２をコネクタハウジング１１の外壁１１Ａと一体に備えてなるコネクタ１０を、電線Ｗに接続する際に用いられるものである。
【００１５】
コネクタ１０は、端子金具２０を収容可能なキャビティ１３が内部に形成されたコネクタハウジング１１と、キャビティ１３に挿入された端子金具２０に係合して端子金具２０の抜け止めを図るランス１２と、キャビティ１３に収容された端子金具２０同士を短絡するバスバー１４とを備えたジョイントコネクタ１０である。このコネクタ１０は、ワイヤハーネスの幹線Ａにテープ巻き（図示せず）により固定されて使用される。以下、各構成部材において、図１の左側を前方、右側を後方、上側を上方、下側を下方として説明する。
【００１６】
コネクタハウジング１１は合成樹脂製であって、全体として偏平な箱形をなしている。コネクタハウジング１１の内部には、前後方向に細長いキャビティ１３が、幅方向に４つ並んで形成されている（図１０参照）。各キャビティ１３には、後方から端子金具２０が挿入可能とされている。
【００１７】
コネクタハウジング１１の外壁１１Ａには、ランス１２が一体に形成されている。ランス１２は、前方へ向かって片持ち状に延出する形状をなし、コネクタハウジング１１の内外方向に弾性撓み可能とされている。ランス１２は、各キャビティ１３の位置にあわせて幅方向に４つ並んで設けられている。各ランス１２の前端部（自由端部）は、各キャビティ１３に突出する形状をなし、その突出部分は、端子金具２０の被係止部２３に係止可能な係止突起１２Ａとされている。
【００１８】
ランス１２は、自然状態にあるときには、その全体がコネクタハウジング１１の外壁１１Ａから外側に突出しない状態になり、ランス１２の外面とコネクタハウジング１１の外面とは平坦な面を構成する。そして、ランス１２は、少しでも外側に弾性撓みすると、その一部分（前端部）が外壁１１Ａから外側に突出した状態になる。
【００１９】
コネクタハウジング１１の後端部には、リブ１５が設けられている。リブ１５は、コネクタハウジング１１の外壁１１Ａから外側（上側）へ突出し、コネクタハウジング１１の後端に沿って延びる形状をなしている。リブ１５は、コネクタハウジング１１の略全幅にわたって設けられている（図３参照）。
【００２０】
コネクタハウジング１１の前端部には、バスバー１４が保持されている。バスバー１４は、導電性の金属材から平板状に形成され、タブ状をなす４本の端子部１４Ａを有している。バスバー１４は、各キャビティ１３に前方から各端子部１４Ａを突出させる姿勢で、コネクタハウジング１１に圧入されて組み付けられている。
【００２１】
端子金具２０は、導電性を有する金属板材から形成され、全体として前後方向に細長い形状をなしている。端子金具２０の後側部分にはバレル部２１が設けられ、バレル部２１は電線Ｗの端末部にかしめ付けられている。また、端子金具２０の前側部分には、前後方向に開放した角筒状をなす接続部２２が設けられ、この接続部２２には、コネクタハウジング１１に組み付けられたバスバー１４の端子部１４Ａが前方から挿入されて電気的に接続される。
【００２２】
端子金具２０の接続部２２には、ランス１２の係止突起１２Ａと係止可能な被係止部２３が設けられている。被係止部２３は、接続部２２の前端寄りの位置に設けられ、接続部２２から外側へ突出する形状をなしている。被係止部２３の後面は切り立った面とされ、この面に係止突起１２Ａが後方から係止する。
【００２３】
さて、組立治具Ｊは、コネクタハウジング１１を収容可能なハウジング収容室３１を有する治具本体３０を備えている。治具本体３０は全体としてブロック状をなし、ハウジング収容室３１は治具本体３０の内部に形成され、上方、下方、両側方および前方が、治具本体３０の上壁３０Ａ、下壁３０Ｂ、両側壁３０Ｃおよび前壁３０Ｄに囲まれてなる。
【００２４】
ハウジング収容室３１は、コネクタハウジング１１の外形に沿う形状をなして後方に開口し、コネクタハウジング１１が後方から嵌合可能とされている。治具本体３０の前後方向の幅寸法は、コネクタハウジング１１の前後方向の幅寸法に比べて小さく、コネクタハウジング１１は、後端部を治具本体３０から後方に突出させた姿勢でハウジング収容室３１に収容される（図３参照）。
【００２５】
治具本体３０の上面は、前側が高く後側が低い段差状をなしている。なお、治具本体３０の上面のうち前側の部分を上段面３２Ａ、後側の部分を下段面３２Ｂと称する。治具本体３０の上壁３０Ａの下面は、下壁３０Ｂと略平行をなす平坦な面とされている。
なお、治具本体３０の上面には、後述するカバー体５０をネジＳで締め付けて固定するためのネジ孔３３が設けられている。ネジ孔３３は、治具本体３０の４つの角部に設けられている。
【００２６】
治具本体３０には、ハウジング収容室３１に収容されたコネクタハウジング１１のランス１２が外壁１１Ａから突出したことを検出する検知アーム４０（本発明の半挿入検知部材に該当する）が備えられている。検知アーム４０は、治具本体３０の上壁３０Ａに設けられた開口部３４に嵌合され、治具本体３０の上壁３０Ａに連なるようにして配置されている。
【００２７】
検知アーム４０は、全体として前後方向に長い形状をなすアーム本体４１と、アーム本体４１の前後方向の中間部に設けられた支持軸４２とを有し、支持軸４２（支点）を中心としてシーソー状に傾動可能とされている。
支持軸４２は、検知アーム４０の前後方向略中央位置よりも若干前寄りの位置に設けられている。支持軸４２は、略円柱状をなしてアーム本体４１から両側方に突出する形状をなしている（図２参照）。
【００２８】
アーム本体４１のうち支持軸４２よりも前側の部分（以後、頭部４１Ａと称する）は、後側の部分（同、脚部４１Ｂと称する）よりも幅寸法が大きくされ、上方から見ると、幅方向に長い略長方形状をなしている。頭部４１Ａの幅寸法は、コネクタハウジング１１の幅寸法と同等の寸法とされている（図３参照）。なお、アーム本体４１は、前後にわたり厚さ寸法が略一定、すなわち頭部４１Ａと脚部４１Ｂとは略同一の厚さ寸法とされている。また、アーム本体４１の厚さ寸法は、支持軸４２の直径と略同一寸法とされている。
【００２９】
また、頭部４１Ａの前端部は、下方（ハウジング収容室３１側）へ突出する形状をなしている（図１参照）。頭部４１Ａの前端部の下面は、ハウジング収容室３１にコネクタハウジング１１が収容されると、ランス１２の前端部の真上の位置に配される。頭部４１Ａの前端部の下面は、外壁１１Ａから突出する方向に変位したランス１２により押圧可能な第１被押圧面４３とされている。第１被押圧面４３は、検知アーム４０が水平姿勢のときには治具本体３０の上壁３０Ａの下面と略同一の高さに配され、下壁３０Ｂの壁面と略平行をなす平坦な面とされている。第１被押圧面４３は、アーム本体４１の略全幅にわたり形成されている。
【００３０】
また、頭部４１Ａの前端部には、後述する反転スプリング３６の先端が上方から載置される載置部４４が形成されている。載置部４４は、頭部４１Ａの前端部に凹み形成され、上方から見ると、若干横長の長方形状をなしている。載置部４４は、頭部４１Ａの前縁に沿って形成され、前方に開放されている。載置部４４の下面（底面）は、反転スプリング３６により押圧される第２被押圧面４４Ａとされている。
【００３１】
脚部４１Ｂは、上方から見ると、頭部４１Ａの幅方向の中央位置から後方へ延びる前後方向に細長い長方形状をなしている。脚部４１Ｂの後端部は、治具本体３０から後方へ突出している。
脚部４１Ｂの後端部（治具本体３０から後方へ突出する部分）には、検知アーム４０が傾動したときにコネクタハウジング１１のリブ１５に係合可能な係合部４５が設けられている（図８参照）。係合部４５は、コネクタハウジング１１のリブ１５に嵌合可能な形状をなして上方へ凹部である。係合部４５の深さ寸法はリブ１５の突出寸法と同等とされ、また係合部４５の前後方向の幅寸法はリブ１５の前後方向の幅寸法よりも大きくされている。
【００３２】
検知アーム４０は、第１被押圧面４３がランス１２に押圧されると、係合部４５が下側（ハウジング収容室３１側）へ変位してコネクタハウジング１１のリブ１５に係合し、ハウジング収容室３１からのコネクタハウジング１１の離脱を規制する姿勢（規制姿勢）になる。また、第１被押圧面４３がランス１２に押圧されていないときには、係合部４５はハウジング収容室３１から退避した位置（治具本体３０の上壁３０Ａと略同等の高さ位置）に配されてコネクタハウジング１１の離脱を許容する姿勢（許容姿勢）になる。検知アーム４０は、許容姿勢の時には水平姿勢（下壁３０Ｂと略平行をなす姿勢）になっている。
【００３３】
治具本体３０の上壁３０Ａには、検知アーム４０が嵌合可能な開口部３４が設けられている。開口部３４は、検知アーム４０の外形に沿う形状をなして上下方向に開口している。開口部３４は、上壁３０Ａの幅方向略中央位置において、上段面３２Ａの前後方向の中間位置から治具本体３０の後端にかけて形成され、後方に開放された形状をなしている。なお、開口部３４の周面のうち前側の面と検知アーム４０の前端面との間には隙間が空けられており、検知アーム４０の傾動が許容されている。
【００３４】
治具本体３０の上壁３０Ａのうち開口部３４の側方には、検知アーム４０の支持軸４２が嵌合可能な軸下嵌合部３５が設けられている。軸下嵌合部３５は、支持軸４２の外形に沿う半円形をなして凹む形状をなし、検知アーム４０の支持軸４２が上方から嵌合可能とされている。軸下嵌合部３５は、支持軸４２の略下半部分に嵌合する。
【００３５】
治具本体３０の前端部には、反転スプリング３６（本発明の弾性部材に該当する）が備えられている。反転スプリング３６は金属製の板バネであって、全体として前後方向に長い形状をなしている。
【００３６】
反転スプリング３６には、組立治具Ｊに固定される固定部３６Ａと、固定部３６Ａから後方へ片持ち状をなして延出する形状のバネ部３６Ｂとを有している。固定部３６Ａは、幅方向（反転スプリング３６の短手方向）に長い略長方形状をなし、バネ部３６Ｂは、固定部３６Ａの板面に沿って若干後方へ延出した位置から先の部分が屈曲した形状をなしている。バネ部３６Ｂは、全体として後方へ向かって少しずつ下がる傾斜をなすとともに、後端部が逆向きに折り返され、後端寄りの位置に押圧点３６Ｃが形成されている。
【００３７】
反転スプリング３６の固定部３６Ａは、治具本体３０の上壁３０Ａに形成された固定凹部３７に嵌め込まれている。固定凹部３７は、上壁３０Ａのうち開口部３４よりも前側に設けられ、固定部３６Ａの外形に沿う幅方向に長い略長方形状をなして上段面３２Ａから下方に凹んだ形状をなしている。固定凹部３７の幅方向中央部は、反転スプリング３６のバネ部３６Ｂに沿う形状をなして開口部３４側へ開放されている。固定凹部３７の凹み寸法は、反転スプリング３６の板厚寸法と同等かそれよりも若干小さい寸法とされている。
【００３８】
反転スプリング３６は、固定部３６Ａが固定凹部３７に嵌合し、バネ部３６Ｂが後方（ハウジング収容室３１の上方）に片持ち状をなして延出した状態で組立治具Ｊに保持されている。バネ部３６Ｂの後端部は、治具本体３０の開口部３４に嵌合した検知アーム４０の載置部４４の上方に達し、押圧点３６Ｃが、第２被押圧面４４Ａに接触した状態になる。検知アーム４０が水平姿勢にあるときには、反転スプリング３６は弾性変形しない自然状態になっている。反転スプリング３６は、検知アーム４０が自重によって後下がりに傾動しようとする力に抗する剛性を有している。
【００３９】
組立治具Ｊは、検知アーム４０の上側（ハウジング収容室３１とは反対側）を覆うカバー体５０を有している。カバー体５０は、治具本体３０の上面の全体を覆い、さらには治具本体３０から後方へ突出して、検知アーム４０の後端までを覆う大きさの略方形の板状をなしている。カバー体５０の後端と検知アーム４０の後端とは、前後方向の位置が略同位置とされている。
【００４０】
カバー体５０のうち治具本体３０のネジ孔３３に対応する４箇所には、ネジ孔５１が上下方向に貫通して形成されている。カバー体５０は、治具本体３０の上面に重ねられて、上下方向に連通したネジ孔３３，５１にネジＳを締め付けることで、治具本体３０に一体に取り付けられている。
【００４１】
カバー体５０の上面は平坦な面とされ、下面は、治具本体３０の上面の段差形状に沿う段差をなしている。また、カバー体５０の下面には、検知アーム４０の外形に沿って装着凹部５２が凹み形成されている。この装着凹部５２には、治具本体３０の開口部３４に嵌合した検知アーム４０のうち、治具本体３０の上面から上方に突出している部分が嵌合する。
【００４２】
装着凹部５２のうち後端部には、許容姿勢の検知アーム４０の後端部に当接して、検知アーム４０の後端部の上方への変位を規制する規制部５２Ａが設けられている。また、装着凹部５２のうち規制部５２Ａを除く部分は、検知アーム４０の傾動を許容する深さ寸法を有している。
【００４３】
また、装着凹部５２は、検知アーム４０の支持軸４２の略上半部分に嵌合する軸上嵌合部５２Ｂを有している（図４参照）。軸上嵌合部５２Ｂは、支持軸４２の外形に沿う半円形状をなして上方に凹んでおり、軸上嵌合部５２Ｂと軸下嵌合部３５とが合体して略円形断面の支持孔を形成する。支持軸４２は、自在な回転が許容された状態でを支持孔に支持される。
【００４４】
カバー体５０の前端部（装着凹部５２よりも前側の部分）は、治具本体３０の上段面３２Ａに当接し、固定凹部３７に嵌合した反転スプリング３６の固定部３６Ａの上面を押え付けている（この部分を押え部５３と称する）。これにより、反転スプリング３６の固定部３６Ａは、前後左右および上下方向の変位を規制されている。
【００４５】
コネクタ１０の組立治具Ｊは、ワイヤハーネスを製造する際に用いられる作業板（組立図板Ｂと称する）に備えられている。組立図板Ｂは、原寸大の設計図に相当するものであり、ワイヤハーネスの幹線Ａの延び方向に長い略長方形状をなしている。そして、組立図板Ｂ上には、電線Ｗを布線するための多数の電線保持具（図示せず）が設けられ、また組立図板Ｂのうちワイヤハーネスの幹線Ａが配される部分の近傍には組立治具Ｊが備えられている（図５参照）。
【００４６】
次に、本実施形態のコネクタ１０の組立治具Ｊを用いて、コネクタ１０を電線Ｗに接続する作業について説明する。
まず、電線Ｗに接続するコネクタ１０のコネクタハウジング１１を、組立治具Ｊにセットする（図６参照）。コネクタハウジング１１は、端子金具２０が挿入されていないものであり、ランス１２は外壁１１Ａから突出しない状態になっている。組立治具Ｊのハウジング収容室３１に、コネクタハウジング１１を後方から押し込むと、コネクタハウジング１１は、検知アーム４０を傾動させることなくハウジング収容室３１を前進する。そして、コネクタハウジング１１を、治具本体３０の前壁３０Ｄに突き当たる位置まで押し込むと、ランス１２の前端部が検知アーム４０の第１被押圧面４３に接し、コネクタハウジング１１のリブ１５が検知アーム４０の係合部４５と上下方向に対向した状態になる。こうして、コネクタハウジング１１はハウジング収容室３１に収容され、組立治具Ｊへのセットが完了する。
【００４７】
次いで、組立治具Ｊにセットされたコネクタハウジング１１のキャビティ１３に、端子金具２０を順に挿入する（図７参照）。端子金具２０をキャビティ１３に後方から挿入し、端子金具２０の被係止部２３がランス１２の下方に至ると、ランス１２は被係止部２３に押されて上方へ弾性撓みし、検知アーム４０の第１被押圧面４３を上方へ押して外壁１１Ａから突出する（図８参照）。第１被押圧面４３が押された検知アーム４０は、反転スプリング３６のバネ部３６Ｂを弾性変形させつつ傾動し、係合部４５がリブ１５に係合した状態（規制姿勢）になる。
【００４８】
さらに端子金具２０を奥へ挿入すると、端子金具２０は、検知アーム４０を傾動させたまま前進し、やがて正規の位置に至る（図９参照）。端子金具２０が正規の位置に至ったときには、端子金具２０の被係止部２３がランス１２の係止突起１２Ａを前方へ通り過ぎ、ランス１２は弾性復帰して外壁１１Ａから突出しないで収まった状態になる。同時に、検知アーム４０は、反転スプリング３６の弾性復元力により許容姿勢に戻り、係合部４５がリブ１５から離間した状態（係合が解除された状態）になる。なお、端子金具２０が正規の位置に至ったときには、端子金具２０の前端がキャビティ１３の前壁面に近接し、バスバー１４の端子部１４Ａのうちキャビティ１３に突出した部分の略全体が接続部２２に挿入された状態になって、バスバー１４と端子金具２０とが正規の接続状態になる。
【００４９】
そして、すべての端子金具２０を挿入し終えたら、組立治具Ｊからコネクタハウジング１１を後方へ引き抜く。ここで、端子金具２０が１本でも半挿入である場合には、ランス１２が端子金具２０の係止突起１２Ａに乗りあがったままで留め置かれ、検知アーム４０が傾動して規制姿勢になっている（図１１および図１２参照）。このため、組立治具Ｊからコネクタハウジング１１を引き出そうとすると、リブ１５が係合部４５に引っ掛かって引き出しが規制され、これにより、端子金具２０が半挿入であることを検知することができる。
【００５０】
そして、端子金具２０が半挿入であることが検知されたときには、半挿入の端子金具２０を正規の位置に至るまで押し込む。すると、ランス１２は弾性復帰して自然状態になり、検知アーム４０は許容姿勢になって係合部４５とリブ１５との係合が解除される。これにより、コネクタハウジング１１は、リブ１５が係合部４５に引っ掛かることなく、組立治具Ｊから引き抜かれる。こうして、コネクタハウジング１１に挿入すべき端子金具２０の全てが、正規の位置に挿入された状態のコネクタ１０を得ることができる。
【００５１】
上記のように構成された本実施形態によれば、以下の効果を奏する。
本実施形態の組立治具Ｊは、コネクタハウジング１１を収容するハウジング収容室３１を有する治具本体３０と、治具本体３０のうちハウジング収容室３１の内壁面に位置して設けられ、ランス１２が外壁１１Ａから突出したことを検出する検知アーム４０とを備えている。
【００５２】
したがって、コネクタハウジング１１を組立治具Ｊのハウジング収容室３１にセットした状態で、コネクタハウジング１１に、電線Ｗに接続された端子金具２０を挿入すると、電線Ｗとコネクタ１０との接続が完了するとともに、端子金具２０が半挿入の場合には、検知アーム４０によりそれが検出される。すなわち、コネクタ１０を電線Ｗに接続するコネクタ１０の組立工程と、端子金具２０の半挿入を検知するコネクタ１０の検査工程とが同時になされるから、これらの工程を別々に行う場合に比べて、コネクタ１０の組立および検査にかかる手間を省くことができる。
【００５３】
また、検知アーム４０は、支点を中心に傾動可能とされ、その一端側が、外壁１１Ａから突出する方向に変位したランス１２により押圧されると、他端側がハウジング収容室３１側へ変位してハウジング収容室３１からのコネクタハウジング１１の離脱を規制する規制姿勢になり、一端側がランス１２に押圧されていないときには、他端側がハウジング収容室３１から退避した位置に配されてコネクタハウジング１１の離脱を許容する許容姿勢になる。
【００５４】
したがって、端子金具２０が半挿入のときには、検知アーム４０が規制姿勢になってコネクタハウジング１１の離脱を規制し、端子金具２０が正規の位置に至ったときには、検知アーム４０が許容姿勢になってコネクタハウジング１１の離脱を許容する。すなわちハウジング収容室３１からのコネクタハウジング１１の離脱が規制されるか許容されるかによって、端子金具２０が半挿入であるか否かを検知することができる。このように、機械的な仕組みで端子金具２０の半挿入を検知することができるから、電気的な仕組みで検知する場合に比べて電源等が不要になり組立治具Ｊの小型化を図ることができる。
【００５５】
また、組立治具Ｊは、検知アーム４０が規制姿勢に傾動するのに伴って弾性変形し、検知アーム４０を許容姿勢に傾動させる向きの弾性復元力を生じる反転スプリング３６を有している。したがって、ランス１２に押圧されて規制姿勢になった検知アーム４０は、ランス１２からの押圧が解除されると、反転スプリング３６の弾性復元力により許容姿勢になる。
【００５６】
また、組立治具Ｊは、検知アーム４０のハウジング収容室３１とは反対側を覆うカバー体５０を有しているから、検知アーム４０がランス１２以外のものに押されて傾動することを防ぐことができる。
そして、組立治具Ｊは、ワイヤーハーネスを構成する電線Ｗが布線される組立図板Ｂに備えられているから、ワイヤハーネスを製造する際に、コネクタ１０の組立治具Ｊを使用して、コネクタ１０の組立工程と、検査工程とを同時に行うことができる。
【００５７】
＜他の実施形態＞
本発明は上記記述及び図面によって説明した実施形態に限定されるものではなく、例えば次のような実施形態も本発明の技術的範囲に含まれる。
【００５８】
（１）上記実施形態では、反転スプリング３６の弾性復元力により、検知アーム４０が規制姿勢（傾動姿勢）から許容姿勢（水平姿勢）に戻る構造とされているが、これに限らず、例えば、反転スプリングを設けることなく、検知アームが自重により傾動姿勢から水平姿勢に戻る構造としてもよい。
【００５９】
（２）上記実施形態では、反転スプリング３６は、検知アーム４０の前端部の上方に設けられて弾性復元力により検知アーム４０の前端部を下方へ押圧するものとされているが、これに限らず、例えば、弾性部材は、検知アームの前端部の下方に設けられて弾性復元力により検知アームの前端部を下方へ引っ張るものであってもよく、また検知アームの後端部の上方または下方に設けられて、弾性復元力により検知アームの後端部を上方へ引っ張るまたは上方へ押圧するもの等であってもよい。
【００６０】
（３）上記実施形態では、半挿入検知部材は検知アーム４０とされているが、これに限らず、例えば、ランスが外壁から突出しているか否かを検出可能なセンサーであってもよい。
（４）上記実施形態では、検知アーム４０の係合部４５は、コネクタハウジング１１のリブ１５に係合可能な凹部とされているが、これに限らず、係合部はコネクタハウジングに係合可能であればどのような形態であってもよく、例えば、係合部は、検知アーム４０が規制姿勢のときにコネクタハウジングの後端面と対向して配される突出壁等としてもよい。
（５）上記実施形態では、反転スプリング３６（弾性部材）は板バネとされているが、これに限らず、例えばコイルバネであってもよい。
【図面の簡単な説明】
【００６１】
【図１】本実施形態にかかる組立治具とコネクタハウジングと端子金具とを表す側断面図
【図２】組立治具の分解斜視図
【図３】組立治具にコネクタハウジングがセットされるとともに、コネクタハウジングに端子金具が挿入された状態を表す平面図
【図４】組立治具の断面図
【図５】組立図板の概略図
【図６】組立治具にコネクタハウジングをセットした状態を表す側断面図
【図７】コネクタハウジングに端子金具を挿入している様子を表す側断面図
【図８】コネクタハウジングに挿入された端子金具がランスを撓ませた様子を表す側断面図
【図９】端子金具が正規の位置に至った状態を表す側断面図
【図１０】全ての端子金具が正規の位置に至っているときの組立治具の後面図
【図１１】端子金具が半挿入の状態を表す側断面図
【図１２】半挿入の端子金具があるときの組立治具の後面図
【図１３】組立治具からコネクタを離脱した状態を表す側断面図
【符号の説明】
【００６２】
Ｂ…組立図板
Ｊ…組立治具
Ｗ…電線
１０…コネクタ
１１…コネクタハウジング
１１Ａ…外壁
１２…ランス
２０…端子金具
３０…治具本体
３１…ハウジング収容室
３６…反転スプリング（弾性部材）
４０…検知アーム（半挿入検知部材）
５０…カバー体
【図１】
2010056019.tif 000003
【図２】
2010056019.tif 000004
【図３】
2010056019.tif 000005
【図４】
2010056019.tif 000006
【図５】
2010056019.tif 000007
【図６】
2010056019.tif 000008
【図７】
2010056019.tif 000009
【図８】
2010056019.tif 000010
【図９】
2010056019.tif 000011
【図１０】
2010056019.tif 000012
【図１１】
2010056019.tif 000013
【図１２】
2010056019.tif 000014
【図１３】
2010056019.tif 000015